(57)【要約】【課題】セパレータ同士の熱溶着を伴うことなく、異物が極板に付着するのをセパレータにより抑制する蓄電素子を提供する。【解決手段】正極板２１と負極板２２とセパレータ２３及び２４とが積層された電極体２０を備える蓄電素子１００では、第一セパレータ２３は、正極板２１の縁２１ｃよりも突出する縁部分２３ａを有し、縁部分２３ａは、窪み付き端部２３ａｄを有する。窪み付き端部２３ａｄには、縁部分２３ａの突出方向に向かって開放した溝２３ａｅが形成されている。【選択図】図４
2017126471.tif 000002
【特許請求の範囲】
【請求項１】
正極板と負極板とセパレータとが積層された電極体を備える蓄電素子であって、
前記セパレータは、前記正極板及び前記負極板のうち少なくとも一方の極板の端部よりも突出する突出部を有し、前記突出部は、窪み付き端部を有し、前記窪み付き端部には、前記突出部の突出方向に向かって開放した窪み部が形成されている
蓄電素子。
【請求項２】
前記窪み付き端部は、前記突出方向の反対方向と異なる方向に向いた先端部を有する
請求項１に記載の蓄電素子。
【請求項３】
前記窪み付き端部は、前記突出方向の反対方向に向かって折り返された少なくとも１つの第一の折り返し部と、前記突出方向に向かって折り返された少なくとも１つの第二の折り返し部とを含み、
前記窪み部は、前記第二の折り返し部に位置する
請求項１または２に記載の蓄電素子。
【請求項４】
前記極板に両側で隣り合う前記セパレータがそれぞれ、前記極板を挟んで互いに対向する前記窪み付き端部を含む前記突出部を有する
請求項１〜３のいずれか一項に記載の蓄電素子。
【請求項５】
前記極板に両側で隣り合う前記セパレータのうちの一方の前記セパレータが、前記窪み付き端部を含む前記突出部を有し、
他方の前記セパレータは、前記一方のセパレータの窪み付き端部と重なる端部を含み且つ前記極板の端部よりも突出する突出部を有する
請求項１〜３のいずれか一項に記載の蓄電素子。
【請求項６】
前記他方のセパレータの端部の先端部が、前記一方のセパレータの窪み付き端部の先端部に重なる
請求項５に記載の蓄電素子。
【請求項７】
前記極板は、前記正極板であり、
前記負極板は、前記突出方向に前記正極板よりも突出する負極突出部を有し、
前記負極突出部は、前記蓄電素子の電極端子に接続される
請求項１〜６のいずれか一項に記載の蓄電素子。
【発明の詳細な説明】
【技術分野】
【０００１】
本発明は、電極体を備える蓄電素子に関する。
【背景技術】
【０００２】
リチウム二次電池などの蓄電素子には、正極板と、負極板と、正極板及び負極板の間に挿入されたシート状のセパレータとが重ねられ、積層された電極体を備えるものがある。例えば、特許文献１に記載されるリチウム二次電池の電極体としての巻回電極群では、正極用金属箔の両面に正極活物質合剤層が形成された正極板としての正極シートと、負極用金属箔の両面に負極活物質合剤層が形成された負極板としての負極シートと、２つのセパレータとが重ねられ、巻回されることにより積層されている。さらに、正極シートの正極用金属箔には、巻回電極群の巻回軸方向の一方の側縁に沿って正極活物質層が形成されない正極リードが設けられ、負極シートの負極用金属箔には、正極リードとは反対の側縁に沿って負極活物質層が形成されない負極リードが設けられている。そして、正極リードには、正極集電体が接続され、負極リードには負極集電体が接続される。
【０００３】
特許文献１には、正極リードと正極集電体との接合時、及び、負極リードと負極集電体との接合時に、正極用金属箔及び負極用金属箔の金属粉又は金属粒子が発生し、金属粉又は金属粒子が別の極と接触して薄膜状のセパレータを部分的に貫通し、短絡を引き起こす可能性があることが記載されている。このため、特許文献１では、正極リードが形成されていない側の正極シートの側縁を覆うように、２つのセパレータの側縁が熱溶着により相互に接合される。さらに、負極リードが形成されていない側の負極シートの側縁を覆うように、２つのセパレータの側縁が熱溶着により相互に接合される。
【先行技術文献】
【特許文献】
【０００４】
【特許文献１】特開２０１１−２１６３９９号公報
【発明の概要】
【発明が解決しようとする課題】
【０００５】
特許文献１では、セパレータの側縁が熱溶着される。セパレータは、熱溶着される際に収縮し得る。セパレータの側縁での熱収縮が生じると、正極シートと負極シートとの間隔が均等にならず、それによって、電極群内において電荷の偏りが生じる。よって、電極群が、所望の性能を得ることができない可能性がある。
【０００６】
本発明は、上述のような問題を解決するためになされたものであり、セパレータ同士の熱溶着を伴うことなく、金属粉、金属粒子等の異物が極板に付着するのをセパレータにより抑制する蓄電素子を提供することを目的とする。
【課題を解決するための手段】
【０００７】
上記目的を達成するために、本発明に係る蓄電素子は、正極板と負極板とセパレータとが積層された電極体を備える蓄電素子であって、セパレータは、正極板及び負極板のうち少なくとも一方の極板の端部よりも突出する突出部を有し、突出部は、窪み付き端部を有し、窪み付き端部には、突出部の突出方向に向かって開放した窪み部が形成されている。
【０００８】
上述の構成において、セパレータの突出部の窪み付き端部における突出部の突出方向に向かって開放した窪み部は、外部からの異物を捕捉し、窪み部に対向して位置する極板の端部に異物が付着するのを抑制する。さらに、窪み部は、捕捉した異物が極板の上記端部上に移動するのを効果的に抑制する。窪み付き端部は、セパレータの突出部に窪み部を伴って形成されればよいものに過ぎず、セパレータ同士の熱溶着を必要としない。
【０００９】
窪み付き端部は、上記突出方向の反対方向と異なる方向に向いた先端部を有してもよい。上述の構成において、セパレータの窪み付き端部上の異物が、窪み付き端部上を先端部に向かって滑って極板の端部上に移動するのが抑制される。さらに、窪み付き端部上の先端部付近の異物は、窪み付き端部上を滑って窪み部内に捕捉されやすい。
【００１０】
窪み付き端部は、上記突出方向の反対方向に向かって折り返された少なくとも１つの第一の折り返し部と、上記突出方向に向かって折り返された少なくとも１つの第二の折り返し部とを含み、窪み部は、第二の折り返し部に位置してもよい。上述の構成において、第一の折り返し部と第二の折り返し部とをセパレータの突出部に形成することのみによって、窪み付き端部が形成されるため、窪み付き端部の形成が容易になる。さらに、第一の折り返し部及び第二の折り返し部を極板の端部に沿って延在する形状とすることによって、極板の端部に沿って延在する窪み部を形成することができる。よって、窪み部は、外部から極板の端部への異物の付着を効果的に抑制する。
【００１１】
極板に両側で隣り合うセパレータがそれぞれ、極板を挟んで互いに対向する窪み付き端部を含む突出部を有してもよい。上述の構成において、極板に両側で隣り合うセパレータのうちの一方のセパレータの窪み付き端部のみによって、窪み付き端部が極板の端部を覆うように構成すると、窪み付き端部の長さが大きくなり、窪み付き端部の剛性が低くなる。よって、窪み付き端部は、容易に変形し、極板を挟んで反対側にあるセパレータとの間隙を拡げるようになり、それにより、異物がこの間隙を通って極板の端部に付着しやすくなる。一方、極板の両側のセパレータの互いに対向する窪み付き端部を用いて極板の端部を覆うように構成することによって、各セパレータの窪み付き端部の剛性が高くなる。よって、両側のセパレータの窪み付き端部間の間隙が拡がるのが抑えられる。
【００１２】
極板に両側で隣り合うセパレータのうちの一方のセパレータが、窪み付き端部を含む突出部を有し、他方のセパレータは、上記一方のセパレータの窪み付き端部と重なる端部を含み且つ極板の端部よりも突出する突出部を有してもよい。上述の構成において、極板の端部は、上記極板に両側で隣り合って位置し且つ重なって配置された２つのセパレータの突出部によって覆われる。よって、外部から上記極板の端部への異物の付着の抑制作用が、向上する。
【００１３】
上記他方のセパレータの端部の先端部が、上記一方のセパレータの窪み付き端部の先端部に重なってもよい。上述の構成において、２つのセパレータの重なり量が低く抑えられるため、セパレータの使用量の低減、つまりコストの低減が可能になる。さらに、２つのセパレータの先端部同士を重ねる構成であるため、２つのセパレータを重ねる作業も容易になる。
【００１４】
上記極板は、正極板であり、負極板は、上記突出方向に正極板よりも突出する負極突出部を有し、負極突出部は、蓄電素子の電極端子に接続されてもよい。上述の構成において、負極突出部と電極端子との接続時に負極突出部から発生し得る金属粉又は金属粒子は、正極板に付着すると金属イオンに変化する。この金属イオンがセパレータを通過して負極板にまで泳動すると、負極板で析出する可能性がある。析出した金属は、負極板と正極板との間に短絡をもたらす可能性がある。セパレータの窪み付き端部を、正極板の端部よりも突出させて位置させることによって、負極突出部からの金属粉又は金属粒子が正極板へ付着するのを抑制することができる。
【発明の効果】
【００１５】
本発明における蓄電素子によれば、セパレータ同士の熱溶着を伴うことなく、異物が極板に付着するのをセパレータによって抑制することが可能になる。
【図面の簡単な説明】
【００１６】
【図１】本発明の実施の形態に係る蓄電素子の外観を模式的に示す斜視図である。
【図２】図１の蓄電素子において容器本体から蓋体を分離した斜視図である。
【図３】図２の電極体の一部を展開した斜視図である。
【図４】図３の電極体の端部付近の拡大断面図であり、電極体の巻回軸を通り且つ電極体の扁平な方向に略垂直な方向の断面を方向ＩＶからみた図である。
【図５】本発明の実施の形態に係る蓄電素子の変形例１の構成を図４と同様に示す断面図である。
【図６】本発明の実施の形態に係る蓄電素子の変形例２の構成を図４と同様に示す断面図である。
【図７】本発明の実施の形態に係る蓄電素子の変形例３の構成を図４と同様に示す断面図である。
【図８】本発明の実施の形態に係る蓄電素子の変形例４の構成を図４と同様に示す断面図である。
【図９】図８の蓄電素子の変形例４の構成の別の態様を図８と同様に示す断面図である。
【図１０】本発明の実施の形態に係る蓄電素子の変形例５の構成を図４と同様に示す断面図である。
【図１１】図１０の蓄電素子の変形例５の構成の別の態様を図１０と同様に示す断面図である。
【図１２】本発明の実施の形態に係る蓄電素子の変形例６の構成を図４と同様に示す断面図である。
【図１３】本発明の実施の形態に係る複数の蓄電素子を備える蓄電装置の平面図である。
【発明を実施するための形態】
【００１７】
以下、図面を参照しつつ、本発明の実施の形態に係る蓄電素子について説明する。なお、以下で説明する実施の形態は、いずれも包括的又は具体的な例を示すものである。以下の実施の形態で示される数値、形状、材料、構成要素、構成要素の配置位置及び接続形態などは、一例であり、本発明を限定する主旨ではない。また、以下の実施の形態における構成要素のうち、最上位概念を示す独立請求項に記載されていない構成要素については、任意の構成要素として説明される。
【００１８】
また、添付の図面における各図は、模式的な図であり、必ずしも厳密に図示されたものでない。さらに、各図において、同一又は同様な構成要素については同じ符号を付している。また、以下の実施の形態の説明において、略平行、略直交のような「略」を伴った表現が、用いられる場合がある。例えば、略平行とは、完全に平行であることを意味するだけでなく、実質的に平行である、すなわち、例えば数％程度の差異を含むことも意味する。他の「略」を伴った表現についても同様である。
【００１９】
［実施の形態］
実施の形態に係る蓄電素子１００の構成を説明する。図１は、実施の形態に係る蓄電素子１００の外観を模式的に示す斜視図である。図１に示されるように、蓄電素子１００は、扁平な直方体状の外形を有している。蓄電素子１００は、充放電可能な二次電池である。例えば、蓄電素子１００は、具体的にはリチウムイオン二次電池（リチウム二次電池とも呼ばれる）などの非水電解質二次電池である。しかしながら、蓄電素子１００は、非水電解質二次電池に限定されず、非水電解質二次電池以外の二次電池であってもよく、キャパシタであってもよい。
【００２０】
図１及び図２を合わせて参照すると、蓄電素子１００は、扁平な直方体状の容器１０と、容器１０の中に含まれる電極体２０と、電極端子としての正極端子３０及び負極端子４０とを備えている。容器１０は、有底角筒状の容器本体１１と、容器本体１１の開口部１１ａを閉鎖可能である細長い矩形板状の蓋体１２とを有している。なお、図２は、図１の蓄電素子１００において、容器本体１１から蓋体１２を分離した斜視図である。容器本体１１は、扁平な直方体状の外形を有している。開口部１１ａは、蓋体１２と同様に細長い矩形形状を有している。蓋体１２の外面１２ａ上に、正極端子３０及び負極端子４０が配置されている。容器１０の内部には、電極体２０と共に電解液（本実施の形態では、非水電解液）などの電解質が封入されるが、当該液体の図示は省略する。容器１０に封入される電解質としては、蓄電素子１００の性能を損なうものでなければその種類に特に制限はなく様々なものを選択することができる。
【００２１】
容器本体１１と蓋体１２とは、溶接等の接合方法によって、互いの接合部を気密な状態にして固定される。これにより、容器１０は、内部に密閉された空間を形成する。容器本体１１及び蓋体１２は、容器１０の内圧の上昇時に、変形すること及び接合部の気密性が損なわれることがないような材料から作製されることができる。限定するものではないが、容器本体１１及び蓋体１２は、例えばステンレス鋼、アルミニウム、アルミニウム合金等の溶接可能な金属から作製されることができる。
【００２２】
正極端子３０及び負極端子４０はそれぞれ、蓋体１２の外面１２ａと反対側において、導電性を有する正極集電体５０及び負極集電体６０と接続されている。正極集電体５０及び負極集電体６０はさらに、電極体２０と接続されている。よって、電極体２０は、正極集電体５０及び負極集電体６０を介して、蓋体１２から吊り下げられるように設けられている。そして、電極体２０は、正極集電体５０及び負極集電体６０と共に、容器本体１１に収容される。なお、電極体２０と容器本体１１との間を電気的に絶縁するために、電極体２０が絶縁フィルムなどで覆われる場合もある。電極体２０と容器本体１１との間に、スペーサ等の緩衝材が設けられる場合もある。
【００２３】
図２及び図３を合わせて参照して、電極体２０の構成を説明する。なお、図３は、図２の電極体２０一部を展開した斜視図である。電極体２０は、電気を蓄積可能な発電要素である。電極体２０は、長尺な矩形帯状の平面形状をしたシート状の正極板２１と、長尺な矩形帯状の平面形状をしたシート状の負極板２２と、長尺な矩形帯状の平面形状をしたシート状のセパレータ２３及び２４とを、層状に重ねるように含んでいる。
【００２４】
そして、電極体２０は、層状に重ねられた正極板２１、負極板２２並びにセパレータ２３及び２４を一緒に、巻回軸Ａを中心に巻回方向Ｂで渦巻き状に多重に巻回されることによって、形成される。巻回軸Ａは、図３において一点鎖線で示される仮想の軸であり、電極体２０は、巻回軸Ａに関して略対称な構成を有している。また、本実施の形態では、正極板２１、負極板２２並びにセパレータ２３及び２４を巻回し始めたものを巻回軸Ａを中心として巻回方向Ｂに回転させることによって、未巻回の帯状の正極板２１、負極板２２並びにセパレータ２３及び２４が巻き付けられるものとする。つまり、図３で時計回りの方向で示される巻回方向Ｂは、巻回時の電極体２０の回転方向である。限定されるものではないが、本実施の形態では、電極体２０は、巻回軸Ａに垂直な断面が扁平な長円形状である扁平な外形を有している。しかしながら、電極体２０の断面形状は、長円形以外であってもよく、円形、楕円形、矩形、その他の多角形であってもよい。
【００２５】
正極板２１は、アルミニウム、アルミニウム合金等の金属からなる長尺な矩形帯状の金属箔である正極基材２１ａと、正極基材２１ａの両側の幅広な主面上の略全体に塗工等の方法で積層された正極活物質層２１ｂ（図３において斜線表示）とを含む。負極板２２は、銅、銅合金等の金属からなる長尺な矩形帯状の金属箔である負極基材２２ａと、負極基材２２ａの両側の幅広な主面上の略全体に塗工等の方法で積層された負極活物質層２２ｂ（図３において斜線表示）とを含む。セパレータ２３及び２４は、樹脂等の電気的な絶縁性を有する材料からなる微多孔性のシートである。なお、本実施の形態では、正極活物質層２１ｂ及び負極活物質層２２ｂはそれぞれ、正極基材２１ａ及び負極基材２２ａの両側の主面上に形成されているが、片側の主面上のみに形成されてもよい。
【００２６】
正極活物質層２１ｂに用いられる正極活物質又は負極活物質層２２ｂに用いられる負極活物質としては、リチウムイオンを吸蔵放出可能な正極活物質又は負極活物質であれば、適宜公知の材料を使用できる。
【００２７】
正極板２１の長手方向に沿った２つの縁２１ｃ及び２１ｄのうちの一方の縁２１ｄの近傍の帯状領域では、正極基材２１ａのいずれの主面にも、正極活物質層２１ｂが積層されていない。上記帯状領域を形成する正極板２１の縁部を正極未塗工部２１ｅと呼ぶ。正極未塗工部２１ｅは、露出した正極基材２１ａによって形成されており、正極板２１の集電領域を形成している。ここで、縁２１ｃは、極板の端部の一例である。
【００２８】
さらに、負極板２２の長手方向に沿った２つの縁２２ｃ及び２２ｄのうちの一方の縁２２ｃの近傍の帯状領域では、負極基材２２ａのいずれの主面にも、負極活物質層２２ｂが積層されていない。上記帯状領域を形成する負極板２２の縁部を負極未塗工部２２ｅと呼ぶ。負極未塗工部２２ｅは、露出した負極基材２２ａによって形成されており、負極板２２の集電領域を形成している。ここで、負極未塗工部２２ｅは、負極突出部の一例である。
【００２９】
正極板２１と負極板２２とは、巻回のために、縁２１ｃと縁２２ｃとが長手方向に対して同じ側に位置し、且つ、縁２１ｄと縁２２ｄとが長手方向に対して同じ側に位置するように、重ねられる。このとき、正極未塗工部２１ｅと負極未塗工部２２ｅとは、正極板２１及び負極板２２の重なり部分を挟んで互いに反対側に位置する。正極未塗工部２１ｅの縁２１ｄは、負極板２２の縁２２ｄよりも突出し、負極未塗工部２２ｅの縁２２ｃは、正極板２１の縁２１ｃよりも突出する。
【００３０】
２つのセパレータ２３及び２４が、１つの負極板２２の両側の平坦な主面上にそれぞれ設けられる。このとき、負極未塗工部２２ｅを除く負極板２２全体が、セパレータ２３及び２４によって覆われている。そして、負極未塗工部２２ｅが、セパレータ２３及び２４の間を通ってセパレータ２３及び２４から突出する。さらに、１つの正極板２１が、巻回時に負極板２２に内側で隣り合うセパレータ２３のさらに内側に位置するように、セパレータ２３上に重ねて設けられる。このとき、正極未塗工部２１ｅを除く正極板２１全体が、負極板２２並びにセパレータ２３及び２４によって覆われており、負極板２２に面している。そして、正極未塗工部２１ｅが、セパレータ２３及び２４よりも突出している。
【００３１】
上述のように積層された１つの正極板２１と１つの負極板２２と２つのセパレータ２３及び２４とが重ね合わされた状態で、巻回軸Ａを中心に、巻回方向Ｂで渦巻き状に巻回され、それにより、電極体２０が形成される。巻回後の電極体２０では、積層された負極未塗工部２２ｅの縁が、面状に並び、電極体２０の端部２０ａを形成している。また、積層された正極未塗工部２１ｅの縁が、面状に並び、電極体２０の端部２０ｂを形成している。
【００３２】
図３及び図４を合わせて参照して、電極体２０の端部２０ａ及び２０ｂ付近における正極板２１と負極板２２とセパレータ２３及び２４との構成を説明する。なお、図４は、図３の電極体２０の端部２０ａ及び２０ｂ付近の拡大断面図であり、電極体２０の巻回軸Ａを通り且つ電極体２０の扁平な方向に略垂直な方向の断面を方向ＩＶからみた図である。
【００３３】
電極体２０の端部２０ｂにおいて、負極板２２では、負極基材２２ａの縁２２ａｂと、負極基材２２ａの両側の負極活物質層２２ｂの２つの縁２２ｂｂとが、これらの積層方向につまり端部２０ｂから端部２０ａに向かう方向と略垂直な方向に略面一に並び、負極板２２の縁２２ｄを形成している。なお、縁２２ａｂ及び縁２２ｂｂはそれぞれ、縁２２ｄに沿った縁である。正極板２１では、正極基材２１ａの縁２１ａｂが、正極板２１の縁２１ｄを形成している。正極基材２１ａの両側の正極活物質層２１ｂの２つの縁２１ｂｂは、これらの積層方向に略面一に並び、端部２０ｂから端部２０ａに向かう方向に、負極板２２の縁２２ｄよりも後退した位置にある。なお、縁２１ａｂは及び縁２１ｂｂはそれぞれ、縁２１ｄに沿った縁である。セパレータ２３及び２４は、端部２０ａから端部２０ｂに向かう方向で、負極板２２の縁２２ｄよりも突出している。正極基材２１ａの縁２１ａｂを含む正極未塗工部２１ｅは、端部２０ａから端部２０ｂに向かう方向で、セパレータ２３及び２４よりも突出している。
【００３４】
電極体２０の端部２０ａにおいて、正極板２１では、正極基材２１ａの縁２１ａａと、正極基材２１ａの両側の正極活物質層２１ｂの２つの縁２１ｂａとが、これらの積層方向に略面一に並び、正極板２１の縁２１ｃを形成している。なお、縁２１ａａ及び縁２１ｂａはそれぞれ、縁２１ｃに沿った縁である。負極板２２では、負極基材２２ａの縁２２ａａが、負極板２２の縁２２ｃを形成している。負極基材２２ａの両側の負極活物質層２２ｂの２つの縁２２ｂａは、これらの積層方向に略面一に並び、端部２０ｂから端部２０ａに向かう方向に、正極板２１の縁２１ｃよりも突出した位置にある。なお、縁２２ａａ及び縁２２ｂａはそれぞれ、縁２２ｃに沿った縁である。セパレータ２３及び２４は、端部２０ｂから端部２０ａに向かう方向で、負極活物質層２２ｂの縁２２ｂａよりも突出している。負極基材２２ａの縁２２ａａを含む負極未塗工部２２ｅは、端部２０ｂから端部２０ａに向かう方向で、セパレータ２３及び２４よりも突出している。
【００３５】
端部２０ａにおいて、セパレータ２３つまり第一セパレータ２３は、端部２０ｂから端部２０ａに向かう方向に、第一セパレータ２３に隣り合う正極活物質層２１ｂよりも突出する帯状の縁部分２３ａを、有している。つまり、縁部分２３ａは、電極体２０における端部２０ｂと端部２０ａとの間の中央から端部２０ａに向かって、突出している。縁部分２３ａは、第一セパレータ２３の長手方向に沿って延在すると共に、縁部分２３ａに隣り合う負極活物質層２２ｂに沿って突出する。縁部分２３ａは、正極活物質層２１ｂからの突出方向と交差する方向、例えば本実施の形態では、上記突出方向と略垂直に交差する方向に沿って延在する偶数箇所の折り返し部を含む。具体的には、縁部分２３ａは、２つの第一折り返し部２３ａａ及び第二折り返し部２３ａｂを含む。正極活物質層２１ｂの縁２１ｂａから縁部分２３ａの先端である縁端２３ａｃに向かって、第一折り返し部２３ａａ及び第二折り返し部２３ａｂが、この順序で配置されている。ここで、縁部分２３ａは、セパレータの突出部の一例であり、縁端２３ａｃは、窪み付き端部の先端部の一例である。
【００３６】
第一折り返し部２３ａａは、正極活物質層２１ｂの縁２１ｂａから負極活物質層２２ｂに沿って突出する縁部分２３ａを、その途中で、縁部分２３ａに隣り合う正極板２１側へ且つ上記正極板２１の縁２１ｃに向かって折り返す折り目の部分である。第一折り返し部２３ａａは、負極活物質層２２ｂに隣接する位置、又は、負極活物質層２２ｂの縁２２ｂａの近傍に位置し、縁部分２３ａの延在方向及び正極板２１の縁２１ｃの延在方向に沿って延在する。言い換えれば、第一折り返し部２３ａａは、縁部分２３ａをその途中で、正極板２１の縁２１ｃからの縁部分２３ａの突出方向と反対方向に向かって、且つ、上記正極板２１を挟んで縁部分２３ａを含む第一セパレータ２３と隣り合うセパレータ２４つまり第二セパレータ２４へ向かって、折り返す折り目の部分である。
【００３７】
第二折り返し部２３ａｂは、正極板２１の縁２１ｃに向かって延在する第一折り返し部２３ａａから縁部分２３ａまでの部位を、その途中で、上記第二セパレータ２４へ向かい且つ上記正極板２１の縁２１ｃから離れる方向に向かって折り返す折り目の部分である。言い換えれば、第二折り返し部２３ａｂは、縁部分２３ａをその途中で、正極板２１の縁２１ｃからの縁部分２３ａの突出方向に向かい且つ上記第二セパレータ２４へ向かって折り返す折り目の部分である。よって、第二折り返し部２３ａｂと第一折り返し部２３ａａとは、互いに逆向きに縁部分２３ａを折り返す。第二折り返し部２３ａｂも、縁部分２３ａの延在方向及び正極板２１の縁２１ｃの延在方向に沿って延在する。
【００３８】
上述のような縁部分２３ａでは、第一折り返し部２３ａａから第二折り返し部２３ａｂまでの部位と、第二折り返し部２３ａｂから縁端２３ａｃまでの部位とによって、縁部分２３ａの延在方向及び正極板２１の縁２１ｃの延在方向に沿って延在する窪み付き端部２３ａｄが、形成される。窪み付き端部２３ａｄは、その内側に、縁部分２３ａの延在方向及び正極板２１の縁２１ｃの延在方向に沿って連続的に延在する溝２３ａｅを形成する。溝２３ａｅは、溝２３ａｅに対向する位置にある正極板２１の縁２１ｃに向かって凹状になった断面を有する。つまり、溝２３ａｅは、正極板２１の縁２１ｃからの縁部分２３ａの突出方向に向かって開放した断面形状を有する。ここで、溝２３ａｅは、セパレータの窪み部の一例である。
【００３９】
上述のような構成を有する窪み付き端部２３ａｄでは、第一セパレータ２３が有する弾性復元力が、２つの折り返し部２３ａａ及び２３ａｂにおける第一セパレータ２３の夾角つまり折り返し角度を拡げるように作用する。これにより、窪み付き端部２３ａｄは、窪み付き端部２３ａｄを含む第一セパレータ２３に隣り合う正極板２１の縁２１ｃを覆うように延在する。窪み付き端部２３ａｄの縁端２３ａｃは、上記正極板２１を挟んで上記第一セパレータ２３と隣り合う第二セパレータ２４の近傍まで至る。縁端２３ａｃは、本実施の形態のように上記第二セパレータ２４と接触しているのが望ましいが、上記第二セパレータ２４との間に間隙を有していてもよい。
【００４０】
窪み付き端部２３ａｄにおける第二折り返し部２３ａｂから縁端２３ａｃまでの部位では、本実施の形態のように、縁端２３ａｃが、第二折り返し部２３ａｂよりも、窪み付き端部２３ａｄに対向する正極板２１の縁２１ｃから離れた位置にあることが好ましい。つまり、第二折り返し部２３ａｂから縁端２３ａｃまでの上記部位は、縁端２３ａｃが正極板２１の縁２１ｃから離れるように、正極板２１の縁２１ｃに対して傾斜しているのが好ましい。しかしながら、第二折り返し部２３ａｂから縁端２３ａｃまでの上記部位は、正極板２１の縁２１ｃと略平行に延在してもよい。つまり、縁端２３ａｃは、正極板２１の縁２１ｃからの縁部分２３ａの突出方向の反対方向とは異なる方向へ指向されてよい。
【００４１】
第一セパレータ２３の縁部分２３ａにおける２つの折り返し部２３ａａ及び２３ａｂの形成は、電極体２０の巻回に使用する前の第一セパレータ２３に予め行ってもよい。例えば、第一セパレータ２３の製造時に、２つの折り返し部２３ａａ及び２３ａｂの形成を行ってもよい。或いは、巻回機を使用した電極体２０の巻回時に、第一セパレータ２３によるロールから送り出される帯状の第一セパレータ２３に対して、２つの折り返し部２３ａａ及び２３ａｂを形成する加工を、巻回と並行して行ってもよい。
【００４２】
図２及び図３を合わせて参照すると、上述のような電極体２０の端部２０ａでは、電極体２０の扁平な部分において、複数層の負極未塗工部２２ｅが、電極体２０の扁平な方向に略垂直な方向に二分割される。さらに、二分割された負極未塗工部２２ｅがそれぞれ、集束され、集束部を形成する。２つの集束部は、負極集電体６０と接続される。負極集電体６０は、２つの脚部６０ａを一体に有している。負極集電体６０が負極端子４０に接続されたとき、２つの脚部６０ａは、蓋体１２から突出するように延在する。２つの集束部の負極未塗工部２２ｅはそれぞれ、超音波溶接、抵抗溶接などの溶接によって、２つの脚部６０ａのうちの一方と接合される。
【００４３】
また、電極体２０の端部２０ｂでは、電極体２０の扁平な部分において、複数層の正極未塗工部２１ｅが、電極体２０の扁平な方向に略垂直な方向に二分割される。さらに、二分割された正極未塗工部２１ｅがそれぞれ、集束され、集束部を形成する。２つの集束部の正極未塗工部２１ｅはそれぞれ、超音波溶接、抵抗溶接などの溶接によって、正極集電体５０が一体に有する２つの脚部５０ａのうちの一方と接合される。２つの脚部５０ａも、正極集電体５０が正極端子３０に接続されたとき、蓋体１２から突出するように延在する。上述のような電極体２０は、巻回方向に沿って形成される外周部分を蓋体１２に対向させる向きで配置されている。このような配置構成を有する電極体２０は、縦巻き型の電極体と呼ばれる。
【００４４】
図４を参照すると、電極体２０の端部２０ａでは、負極未塗工部２２ｅの溶接時に、負極基材２２ａから、これを構成する銅、銅合金等の金属粉又は金属粒子が発生する場合がある。発生した金属粉及び金属粒子は、正極板２１の縁２１ｃに向かって飛散した場合、第一セパレータ２３の縁部分２３ａの溝２３ａｅ内に捕捉される。正極板２１の縁２１ｃに向かって窪む溝２３ａｅ内では、金属粉及び金属粒子は、捕捉されたまま保持され、正極板２１の縁２１ｃ上への飛散が抑えられる。さらに、縁部分２３ａにおける第二折り返し部２３ａｂから縁端２３ａｃまでの部位が、溝２３ａｅに対向する位置にある正極板２１の縁２１ｃへ向かって傾斜していないため、溝２３ａｅ内の金属粉及び金属粒子は、正極板２１の縁２１ｃへ向かって移動するのが抑制される。よって、正極板２１の縁２１ｃへの金属粉及び金属粒子の付着が抑制される。
【００４５】
例えば、負極基材２２ａを構成する銅、銅合金等の金属粉又は金属粒子が、電位が貴となる正極板２１の正極基材２１ａ又は正極活物質層２１ｂに付着した場合、金属粉及び金属粒子はイオン化して溶解する。金属イオンは、正極活物質層２１ｂに隣接するセパレータ２３又は２４を通過して負極板２２に到達し得る。到達した金属イオンは、負極板２２の負極基材２２ａ又は負極活物質層２２ｂ上で、金属として析出し得、析出した金属は、成長して、負極活物質層２２ｂに隣接するセパレータ２３又は２４を破って正極基材２１ａ又は正極活物質層２１ｂに至る可能性がある。これにより、負極板２２と正極板２１とが短絡する。第一セパレータ２３の縁部分２３ａは上述のような短絡の発生を抑制する。
【００４６】
また、負極基材２２ａからの金属粉又は金属粒子が、電位が卑である負極板２２に付着した場合、付着した金属粉及び金属粒子の溶解は生じにくい。このため、負極板２２上での負極基材２２ａを発生源とする金属の析出及びその成長は生じにくい。
【００４７】
一方、電極体２０の端部２０ｂにおいて、正極未塗工部２１ｅの溶接時に発生し得る正極基材２１ａを構成するアルミニウム、アルミニウム合金等の金属粉又は金属粒子は、負極板２２に付着した場合、溶解を起こしにくい。このため、負極板２２上で正極基材２１ａを発生源とする金属の析出及びその成長が生じにくい。また、正極基材２１ａの金属粉又は金属粒子が、正極板２１に付着した場合も、付着した金属粉及び金属粒子の溶解は生じにくい。
【００４８】
上述したように、本実施の形態に係る蓄電素子１００は、正極板２１と負極板２２とセパレータ２３及び２４とが積層された電極体２０を備える蓄電素子である。蓄電素子１００では、第一セパレータ２３は、正極板２１の縁２１ｃよりも突出する縁部分２３ａを有し、縁部分２３ａは、窪み付き端部２３ａｄを有する。窪み付き端部２３ａｄには、縁部分２３ａの突出方向に向かって開放した溝２３ａｅが形成されている。
【００４９】
上述の構成において、縁部分２３ａの突出方向に向かって開放した窪み付き端部２３ａｄの溝２３ａｅは、外部からの異物を捕捉し、窪み付き端部２３ａｄに対向して位置する正極板２１の縁２１ｃに異物が付着するのを抑制する。さらに、溝２３ａｅは、捕捉した異物が正極板２１の縁２１ｃ上に移動するのを効果的に抑制する。窪み付き端部２３ａｄは、第一セパレータ２３の縁部分２３ａに溝２３ａｅを伴って形成されればよいものに過ぎず、セパレータ２３及び２４同士の熱溶着を必要としない。
【００５０】
さらに、本実施の形態のように、電極体２０が巻回型である場合、セパレータ２３及び２４の縁部分同士を熱溶着に限らず接着等により固定すると、電極体２０の巻回時に、内周側のセパレータと外周側のセパレータとの間での周長差に起因して、セパレータに皺が生じる。セパレータに生じた皺は、正極板２１と負極板２２との間隔を不均一にし、電極体２０内で電荷の偏りを生む。実施の形態に係る蓄電素子１００の電極体２０では、セパレータ２３及び２４の縁部分が互いに固定されないため、電極体２０の巻回時に、セパレータ２３及び２４の間に滑りが生じ、それにより、内周側のセパレータと外周側のセパレータとの間での周長差に起因する皺の発生が抑制される。
【００５１】
本実施の形態に係る蓄電素子１００の電極体２０において、窪み付き端部２３ａｄは、第一セパレータ２３の縁部分２３ａの突出方向の反対方向と異なる方向に向いた縁端２３ａｃを有する。上述の構成において、窪み付き端部２３ａｄ上の異物が、窪み付き端部２３ａｄ上を縁端２３ａｃに向かって滑って、窪み付き端部２３ａｄに対向して位置する正極板２１の縁２１ｃ上に移動するのが抑制される。さらに、窪み付き端部２３ａｄ上の縁端２３ａｃ付近の異物は、窪み付き端部２３ａｄ上を滑って溝２３ａｅ内に捕捉されやすい。
【００５２】
本実施の形態に係る蓄電素子１００の電極体２０において、窪み付き端部２３ａｄは、第一セパレータ２３の縁部分２３ａの突出方向の反対方向に向かって折り返された第一折り返し部２３ａａと、第一セパレータ２３の縁部分２３ａの突出方向に向かって折り返された第二折り返し部２３ａｂとを含み、溝２３ａｅは、第二折り返し部２３ａｂに位置する。上述の構成において、第一折り返し部２３ａａと第二折り返し部２３ａｂとを第一セパレータ２３の縁部分２３ａに形成することのみによって、窪み付き端部２３ａｄが形成されるため、窪み付き端部２３ａｄの形成が容易になる。さらに、第一折り返し部２３ａａ及び第二折り返し部２３ａｂを正極板２１の縁２１ｃに沿って延在する形状とすることによって、正極板２１の縁２１ｃに沿って延在する溝２３ａｅを形成することができる。よって、溝２３ａｅは、外部から溝２３ａｅに対向して位置する正極板２１の縁２１ｃへの異物の付着を効果的に抑制する。
【００５３】
本実施の形態に係る蓄電素子１００の電極体２０において、窪み付き端部２３ａｄを有する第一セパレータ２３の縁部分２３ａは、正極板２１の縁２１ｃよりも突出する。さらに、負極板２２は、縁部分２３ａの突出方向に正極板２１よりも突出する負極未塗工部２２ｅを有し、負極未塗工部２２ｅは、蓄電素子１００の負極端子４０に接続される。なお、上記接続されるとは、負極未塗工部２２ｅが、負極端子４０に直接的に接続される場合と、負極集電体６０等の導電性部材を介して、負極端子４０に間接的に接続される場合とを含む。上述の構成において、負極未塗工部２２ｅと負極端子４０との接続時、具体的には負極未塗工部２２ｅと負極集電体６０との接合時に負極未塗工部２２ｅから発生し得る金属粉又は金属粒子は、正極板２１に付着すると金属イオンに変化する。この金属イオンがセパレータ２３又は２４を通過して負極板２２にまで泳動すると、負極板２２で析出する可能性がある。さらに、析出した金属は、負極板２２と正極板２１との間に短絡をもたらす可能性がある。しかしながら、負極未塗工部２２ｅが存在する電極体２０の端部２０ａにおいて、第一セパレータ２３の窪み付き端部２３ａｄを、正極板２１の縁２１ｃよりも突出させて位置させることによって、負極未塗工部２２ｅからの金属粉又は金属粒子が正極板２１へ付着するのを抑制することができる。
【００５４】
［変形例１］
また、実施の形態に係る蓄電素子１００の変形例１として、以下のような構成が挙げられる。具体的には、図５に示されるように、変形例１に係る蓄電素子の電極体では、電極体の端部２０ａにおいて、第一セパレータ２３及び第二セパレータ２４のいずれの縁部分にも、偶数箇所の折り返し部、具体的には２つの折り返し部が形成されている。なお、図５は、実施の形態に係る蓄電素子１００の変形例１の構成を図４と同様に示す断面図である。また、以下の変形例の説明において、前出した図における参照符号と同一の符号の構成要素は、同一又は同様な構成要素であるので、その詳細な説明は省略する。
【００５５】
図５を参照すると、電極体の端部２０ａにおいて、第一セパレータ２３は、実施の形態に係る蓄電素子１００の場合と同様に、溝２３ａｅを形成する窪み付き端部２３ａｄを含む縁部分２３ａを有している。縁部分２３ａは、第一折り返し部２３ａａと、第二折り返し部２３ａｂと、縁端２３ａｃとを含む。本変形例１では、縁端２３ａｃは、第一セパレータ２３と第二セパレータ２４との間の中間付近にまで至る。
【００５６】
さらに、端部２０ａにおいて、第二セパレータ２４は、第二セパレータ２４に隣り合う正極板２１の正極活物質層２１ｂよりも、電極体の端部２０ｂから端部２０ａに向かう方向に突出する帯状の突出部分である縁部分２４ａを有する。縁部分２４ａは、第二セパレータ２４の長手方向に沿って延在すると共に、縁部分２４ａに隣り合う負極板２２の負極活物質層２２ｂに沿って突出する。縁部分２４ａは、第一セパレータ２３の縁部分２３ａと同様に、その先端である縁端２４ａｃに向かって順に第一折り返し部２４ａａと第二折り返し部２４ａｂとを含む。
【００５７】
第一折り返し部２４ａａは、縁部分２４ａをその途中で、縁部分２４ａに隣り合う正極板２１へ向かい且つ上記正極板２１の縁２１ｃに向かって折り返す折り目の部分である。第一折り返し部２４ａａは、負極活物質層２２ｂに隣接する位置、又は、負極活物質層２２ｂの縁２２ｂａの近傍に位置し、縁部分２４ａの延在方向及び正極板２１の縁２１ｃの延在方向に沿って延在する。
【００５８】
第二折り返し部２４ａｂは、第一折り返し部２４ａａから正極板２１の縁２１ｃに向かって延在する縁部分２４ａをその途中で、上記正極板２１を挟んで対向する第一セパレータ２３へ向かい且つ上記正極板２１の縁２１ｃから離れる方向に向かって折り返す折り目の部分である。第二折り返し部２４ｂｂは、縁部分２４ａの延在方向及び正極板２１の縁２１ｃの延在方向に沿って延在する。
【００５９】
上述のような縁部分２４ａは、第一折り返し部２４ａａから縁端２４ａｃまでの部位によって形成される窪み付き端部２４ａｄを有する。窪み付き端部２４ａｄは、縁部分２４ａに隣り合う正極板２１の縁２１ｃに対向するように位置する。窪み付き端部２４ａｄは、その内側に、縁部分２４ａの延在方向及び正極板２１の縁２１ｃの延在方向に沿って連続的に延在する溝２４ａｅを形成する。溝２４ａｅは、正極板２１の縁２１ｃからの縁部分２４ａの突出方向に向かって開放している。本変形例１では、縁端２４ａｃは、第一セパレータ２３と第二セパレータ２４との間の中間付近にまで至る。また、窪み付き端部２４ａｄにおける第二折り返し部２４ａｂから縁端２４ａｃまでの部位は、縁端２４ａｃが正極板２１の縁２１ｃから離れるように、正極板２１の縁２１ｃに対して傾斜しているのが好ましい。しかしながら、上記部位は、正極板２１の縁２１ｃと略平行に延在してもよい。
【００６０】
上述のような構成を有する窪み付き端部２３ａｄ及び２４ａｄは、これらの間にある正極板２１を挟んで、正極板２１及び負極板２２の積層方向で、互いに対向する位置にある。そして、窪み付き端部２３ａｄ及び２４ａｄは、これらの間にある正極板２１の縁２１ｃを一緒に覆うように延在する。縁部分２３ａの縁端２３ａｃと縁部分２４ａの縁端２４ａｃとは、接触していても接触していなくてもよい。また、縁部分２４ａ及び２４ｂは、これらの間の正極板２１に関して、互いに略対称な関係となるように形成されてもよい。
【００６１】
また、変形例１に係る蓄電素子におけるその他の構成は、実施の形態に係る蓄電素子１００と同様であるため、その説明を省略する。さらに、変形例１に係る蓄電素子によると、実施の形態に係る蓄電素子１００と同様の効果が得られる。さらにまた、上述したように、変形例１に係る蓄電素子では、正極板２１に両側で隣り合うセパレータ２３及び２４がそれぞれ、正極板２１を挟んで互いに対向する窪み付き端部２３ａｄ及び２４ａｄを含む縁部分２３ａ及び２４ａを有する。上述の構成において、正極板２１に両側で隣り合うセパレータ２３及び２４のうちの一方である第一セパレータ２３の窪み付き端部２３ａｄのみによって、正極板２１の縁２１ｃを覆うように構成すると、窪み付き端部２３ａｄの長さが大きくなり、窪み付き端部２３ａｄの剛性が低くなる。よって、窪み付き端部２３ａｄは、容易に変形して反対側にある第二セパレータ２４との間隙を拡げるようになり、それにより、異物がこの間隙を通って正極板２１の縁２１ｃに付着しやすくなる。一方、正極板２１の両側のセパレータ２３及び２４の互いに対向する窪み付き端部２３ａｄ及び２４ａｄを用いて正極板２１の縁２１ｃを覆うように構成することによって、両セパレータ２３及び２４の窪み付き端部２３ａｄ及び２４ａｄの剛性が高くなる。よって、両側のセパレータ２３及び２４の窪み付き端部２３ａｄ及び２４ａｄ間の間隙が拡がるのが抑えられる。
【００６２】
［変形例２］
また、実施の形態に係る蓄電素子１００の変形例２として、以下のような構成が挙げられる。具体的には、図６に示されるように、変形例２に係る蓄電素子の電極体では、正極未塗工部２１ｅを含む電極体の端部２０ｂにおいて、第一セパレータ２３及び第二セパレータ２４の縁部分にそれぞれ、偶数箇所の折り返し部、具体的には２つの折り返し部が形成されている。なお、図６は、実施の形態に係る蓄電素子１００の変形例２の構成を図４と同様に示す断面図である。
【００６３】
図６を参照すると、電極体の端部２０ａでは、実施の形態に係る蓄電素子１００の電極体２０と同様に、第一セパレータ２３の縁部分つまり第一縁部分２３ａが、２つの折り返し部２３ａａ及び２３ａｂによって形成される窪み付き端部２３ａｄを含む。
【００６４】
電極体の端部２０ｂでは、第一セパレータ２３は、第一セパレータ２３に隣り合う正極板２１の正極活物質層２１ｂよりも、電極体の端部２０ａから端部２０ｂに向かう方向に突出する帯状の第二縁部分２３ｂを有する。第二セパレータ２４は、第二セパレータ２４に隣り合う正極板２１の正極活物質層２１ｂよりも、電極体の端部２０ａから端部２０ｂに向かう方向に突出する帯状の第二縁部分２４ｂを有する。
【００６５】
第二縁部分２３ｂは、変形例１に係る蓄電素子の電極体の第一セパレータ２３における端部２０ａ側の縁部分２３ａと同様の構成を有している。つまり、第二縁部分２３ｂは、その縁端２３ｂｃに向かって順に配置された第一折り返し部２３ｂａと第二折り返し部２３ｂｂとによって形成される窪み付き端部２３ｂｄを、有している。窪み付き端部２３ｂｄは、その内側に、第二縁部分２３ｂの延在方向に沿って連続的に延在し且つ正極板２１の縁２１ｄからの第二縁部分２３ｂの突出方向に向かって開放した溝２３ｂｅを形成する。本変形例２では、第二縁部分２３ｂの縁端２３ｂｃは、第一セパレータ２３と第二セパレータ２４との間の正極板２１の正極未塗工部２１ｅ付近にまで至る。縁端２３ｂｃは、正極未塗工部２１ｅに接していても接していなくてもよい。
【００６６】
第二縁部分２４ｂは、変形例１に係る蓄電素子の電極体の第二セパレータ２４における端部２０ａ側の縁部分２４ａと同様の構成を有している。つまり、第二縁部分２４ｂは、その縁端２４ｂｃに向かって順に配置された第一折り返し部２４ｂａと第二折り返し部２４ｂｂとによって形成される窪み付き端部２４ｂｄを、有している。窪み付き端部２４ｂｄは、その内側に、第二縁部分２４ｂの延在方向に沿って連続的に延在し且つ正極板２１の縁２１ｄからの第二縁部分２４ｂの突出方向に向かって開放した溝２４ｂｅを形成する。本変形例２では、第二縁部分２４ｂの縁端２４ｂｃは、第一セパレータ２３と第二セパレータ２４との間の正極板２１の正極未塗工部２１ｅ付近にまで至る。縁端２４ｂｃは、正極未塗工部２１ｅに接していても接していなくてもよい。
【００６７】
また、第二縁部分２３ｂの窪み付き端部２３ｂｄと第二縁部分２４ｂの窪み付き端部２４ｂｄとは、これらの間の正極基材２１ａに関して、つまり、正極板２１及び負極板２２の積層方向に略垂直な面に関して、略対称な関係となるように形成されてもよい。
【００６８】
上述のような構成を有する第二縁部分２３ｂの窪み付き端部２３ｂｄは、正極板２１の２つの正極活物質層２１ｂのうちの第二縁部分２３ｂに隣り合う一方の正極活物質層２１ｂの縁２１ｂｂを覆うように延在する。第二縁部分２４ｂの窪み付き端部２４ｂｄは、上記正極板２１の２つの正極活物質層２１ｂのうちの第二縁部分２４ｂに隣り合う他方の正極活物質層２１ｂの縁２１ｂｂを覆うように延在する。
【００６９】
また、変形例２に係る蓄電素子におけるその他の構成は、実施の形態又は上記変形例に係る蓄電素子と同様であるため、その説明を省略する。さらに、変形例２に係る蓄電素子によると、実施の形態及び上記変形例に係る蓄電素子と同様の効果が得られる。さらに、上述したように、変形例２に係る蓄電素子の電極体では、電極体の端部２０ａ側だけでなく端部２０ｂ側においても、セパレータ２３及び２４によって正極板２１の縁２１ｄを覆うことによって、正極板２１の両縁２１ｃ及び２１ｄへの異物の付着を効果的に抑制することができる。例えば、端部２０ａにおいて負極基材２２ａから発生した金属粉又は金属粒子が、端部２０ｂに流れてきた場合でも、正極活物質層２１ｂの縁２１ｂｂへの付着が抑えられる。
【００７０】
［変形例３］
また、実施の形態に係る蓄電素子１００の変形例３として、以下のような構成が挙げられる。具体的には、図７に示されるように、変形例３に係る蓄電素子の電極体では、電極体の端部２０ａにおいて、第一セパレータ２３の縁部分２３ａが４つの折り返し部を有している。なお、図７は、実施の形態に係る蓄電素子１００の変形例３の構成を図４と同様に示す断面図である。
【００７１】
図７を参照すると、縁部分２３ａは、その縁端２３ａｃに向かって順に配置された第一折り返し部２３ａａと第二折り返し部２３ａｂと第三折り返し部２３ａａａと第四折り返し部２３ａｂａとを有している。折り返し部２３ａａ、２３ａｂ、２３ａａａ及び２３ａｂａは、縁部分２３ａの延在方向及び正極板２１の縁２１ｃの延在方向に沿って延在する。
【００７２】
第一折り返し部２３ａａ及び第二折り返し部２３ａｂはそれぞれ、実施の形態に係る蓄電素子１００の電極体２０における第一セパレータ２３の第一折り返し部２３ａａ及び第二折り返し部２３ａｂと同様の構成を有している。第三折り返し部２３ａａａは、正極板２１の縁２１ｃから離れる方向へ延在する第二折り返し部２３ａｂから縁端２３ａｃまでの縁部分２３ａをその途中で、正極板２１の縁２１ｃに向かって折り返す折り目の部分である。第三折り返し部２３ａａａでは、第一折り返し部２３ａａと同様の向きに、縁部分２３ａが折り返される。第四折り返し部２３ａｂａは、正極板２１の縁２１ｃに向かって延在する第三折り返し部２３ａａａから縁端２３ａｃまでの縁部分２３ａをその途中で、正極板２１の縁２１ｃから離れる方向へ折り返す折り目の部分である。第四折り返し部２３ａｂａでは、第二折り返し部２３ａｂと同様の向きに、縁部分２３ａが折り返される。なお、縁部分２３ａにおける第四折り返し部２３ａｂａから縁部分２３ａまでの部位は、正極板２１の縁２１ｃと略平行に延在してもよい。
【００７３】
縁部分２３ａにおいて、折り返し部２３ａａ、２３ａｂ、２３ａａａ及び２３ａｂａは、窪み付き端部２３ａｄを形成する。窪み付き端部２３ａｄは、その内側に、縁部分２３ａの延在方向及び正極板２１の縁２１ｃの延在方向に沿って連続的に延在する第一溝２３ａｅ及び第二溝２３ａｅａを形成する。第一溝２３ａｅは、窪み付き端部２３ａｄにおける第一折り返し部２３ａａから第二折り返し部２３ａｂを経て第三折り返し部２３ａａａまでの部位によって、形成される。第二溝２３ａｅａは、窪み付き端部２３ａｄにおける第三折り返し部２３ａａａから第四折り返し部２３ａｂａを経て縁端２３ａｃまでの部位によって、形成される。第一溝２３ａｅ及び第二溝２３ａｅａは、正極板２１からの縁部分２３ａの突出方向に向かって開放している。
【００７４】
変形例３では、縁部分２３ａの縁端２３ａｃは、縁部分２３ａを含む第一セパレータ２３と隣り合う正極板２１を挟んで第一セパレータ２３と隣り合う第二セパレータ２４の近傍まで至る。縁端２３ａｃは、上記第二セパレータ２４と接触しているのが望ましいが、上記第二セパレータ２４との間に間隙を有していてもよい。
【００７５】
また、変形例３に係る蓄電素子におけるその他の構成は、実施の形態に係る蓄電素子１００と同様であるため、その説明を省略する。さらに、変形例３に係る蓄電素子によると、実施の形態に係る蓄電素子１００と同様の効果が得られる。さらにまた、上述したように、変形例３に係る蓄電素子の電極体では、第一セパレータ２３の縁部分２３ａが４つの折り返し部２３ａａ、２３ａｂ、２３ａａａ及び２３ａｂａを有している。上述の構成において、縁部分２３ａの窪み付き端部２３ａｄでは、折り返し部２３ａａ、２３ａｂ、２３ａａａ及び２３ａｂａにおける第一セパレータ２３の折り返し角度が狭くなる。これにより、第一セパレータ２３における折り返された部位同士の間隔が狭くなるため、溝２３ａｅ及び２３ａｅａ内に捕捉された異物が、そのまま保持されやすくなる。
【００７６】
［変形例４］
また、実施の形態に係る蓄電素子１００の変形例４として、以下のような構成が挙げられる。具体的には、図８に示されるように、変形例４に係る蓄電素子の電極体では、電極体の端部２０ａにおいて、第二セパレータ２４の縁部分が、奇数箇所の折り返し部、具体的には１つの折り返し部を有している。なお、図８は、実施の形態に係る蓄電素子１００の変形例４の構成を図４と同様に示す断面図である。
【００７７】
図８を参照すると、電極体の端部２０ａにおいて、第一セパレータ２３は、実施の形態に係る蓄電素子１００の場合と同様に、溝２３ａｅを形成する窪み付き端部２３ａｄを含む縁部分２３ａを有している。
【００７８】
第二セパレータ２４は、第二セパレータ２４に隣り合う正極板２１の正極活物質層２１ｂよりも、電極体の端部２０ｂから端部２０ａに向かう方向に突出する帯状の突出部分である縁部分２４ａを有する。縁部分２４ａは、第二セパレータ２４の長手方向に沿って延在すると共に、縁部分２４ａに隣り合う負極板２２の負極活物質層２２ｂに沿って突出する。
【００７９】
縁部分２４ａは、１つの折り返し部２４ａａを含む。折り返し部２４ａａは、縁部分２４ａを、縁部分２４ａに隣り合う正極板２１へ向かい且つ上記正極板２１の縁２１ｃに向かって折り返す折り目の部分である。折り返し部２４ａａは、負極活物質層２２ｂに隣接する位置、又は、負極活物質層２２ｂの縁２２ｂａの近傍に位置し、縁部分２４ａの延在方向及び正極板２１の縁２１ｃの延在方向に沿って延在する。
【００８０】
第二セパレータ２４の縁部分２４ａにおけるその縁端２４ａｃと折り返し部２４ａａとの間の先端部位２４ａ１は、第一セパレータ２３の縁部分２３ａの窪み付き端部２３ａｄにおける縁端２３ａｃと第二折り返し部２３ａｂとの間の先端部位２３ａ１に沿って、延在する。さらに、縁部分２４ａの先端部位２４ａ１は、窪み付き端部２３ａｄの先端部位２３ａ１に接触し且つ重なる。つまり、縁部分２４ａは、窪み付き端部２３ａｄと重なる先端部位２４ａ１を有する形状に折り曲げられている。これにより、正極板２１の縁２１ｃは、先端部位２４ａ１と先端部位２３ａ１とを互いに重ねて位置させる縁部分２４ａと縁部分２３ａとによって、囲まれるように覆われる。
【００８１】
なお、本変形例４では、縁部分２４ａの先端部位２４ａ１は、窪み付き端部２３ａｄの先端部位２３ａ１に対して、正極板２１の縁２１ｃ側に位置している。しかしながら、図９に示すように、縁部分２４ａの先端部位２４ａ１が、窪み付き端部２３ａｄの先端部位２３ａ１に対して、正極板２１の縁２１ｃと反対側に位置してもよい。なお、図９は、図８の蓄電素子の変形例４の構成の別の態様を図８と同様に示す断面図である。さらに、先端部位２４ａ１の全体が先端部位２３ａ１の一部又は全体と重なっていてもよく、先端部位２４ａ１の一部が先端部位２３ａ１の一部又は全体と重なっていてもよい。また、縁部分２４ａの先端部位２４ａ１と窪み付き端部２３ａｄの先端部位２３ａ１とは接触せずにこれらの間に間隙があってもよい。上述のような構成にすることによって、縁部分２４ａの先端部位２４ａ１及び窪み付き端部２３ａｄの先端部位２３ａ１が、正極板２１の縁２１ｃを隙間なく覆う。さらに、電極体２０に振動、衝撃等が加わった場合でも、縁部分２４ａの先端部位２４ａ１と窪み付き端部２３ａｄの先端部位２３ａ１とが離れ、覆いを開放してしまうのが抑制される。
【００８２】
また、変形例４に係る蓄電素子におけるその他の構成は、実施の形態に係る蓄電素子１００と同様であるため、その説明を省略する。さらに、変形例４に係る蓄電素子によると、実施の形態に係る蓄電素子１００と同様の効果が得られる。
【００８３】
さらにまた、上述したように、変形例４に係る蓄電素子の電極体では、正極板２１に両側で隣り合うセパレータ２３及び２４のうちの第一セパレータ２３が、窪み付き端部２３ａｄを含む縁部分２３ａを有し、第二セパレータ２４は、第一セパレータ２３の窪み付き端部２３ａｄと重なる先端部位２４ａ１を含み且つ正極板２１の縁２１ｃよりも突出する縁部分２４ａを有する。上述の構成において、正極板２１の縁２１ｃは、正極板２１に両側で隣り合って位置し且つ重なって配置された２つのセパレータ２３及び２４の縁部分２３ａ及び２４ａによって覆われる。よって、外部から正極板２１の縁２１ｃへの異物の付着の抑制作用が、向上する。
【００８４】
また、変形例３に係る蓄電素子の電極体では、第二セパレータ２４の先端部である先端部位２４ａ１が、第一セパレータ２３の窪み付き端部２３ａｄの先端部である先端部位２３ａ１に重なる。上述の構成において、２つのセパレータ２３及び２４の重なり量が低く抑えられるため、セパレータの使用量の低減、つまりコストの低減が可能になる。さらに、２つのセパレータ２３及び２４の先端部位２３ａ１及び２４ａ１同士を重ねる構成であるため、２つのセパレータ２３及び２４を重ねる作業も容易になる。
【００８５】
［変形例５］
また、実施の形態に係る蓄電素子１００の変形例５として、以下のような構成が挙げられる。具体的には、図１０に示されるように、変形例５に係る蓄電素子の電極体の端部２０ａでは、第二セパレータ２４の縁部分が、奇数箇所の折り返し部、具体的には３つの折り返し部を有している。つまり、第二セパレータ２４の縁部分は、変形例４に係る蓄電素子の第二セパレータ２４の縁部分２４ａに窪み付き端部を設けた構成を有している。なお、図１０は、実施の形態に係る蓄電素子１００の変形例５の構成を図４と同様に示す断面図である。
【００８６】
図１０を参照すると、電極体の端部２０ａにおいて、第一セパレータ２３の縁部分２３ａは、実施の形態に係る蓄電素子１００の場合と同様に、溝２３ａｅを形成する窪み付き端部２３ａｄを含む。
【００８７】
第二セパレータ２４の縁部分２４ａは、その縁端２４ａｃに向かって順に配置された第一折り返し部２４ａａと第二折り返し部２４ａｂと第三折り返し部２４ａａａとを有している。折り返し部２４ａａ、２４ａｂ及び２４ａａａは、縁部分２４ａの延在方向及び正極板２１の縁２１ｃの延在方向に沿って延在する。
【００８８】
第一折り返し部２４ａａ及び第二折り返し部２４ａｂはそれぞれ、変形例１に係る蓄電素子の電極体における第二セパレータ２４の第一折り返し部２４ａａ及び第二折り返し部２４ａｂと同様の構成を有している。第三折り返し部２４ａａａは、正極板２１の縁２１ｃから離れる方向へ延在する第二折り返し部２４ａｂから縁端２４ａｃまでの縁部分２４ａをその途中で、正極板２１の縁２１ｃに向かって折り返す折り目の部分である。第三折り返し部２４ａａａでは、第一折り返し部２４ａａと同様の向きに、縁部分２４ａが折り返される。
【００８９】
縁部分２４ａにおいて、折り返し部２４ａａ、２４ａｂ及び２４ａａａを含む窪み付き端部２４ａｄが、形成されている。窪み付き端部２４ａｄは、その内側に、縁部分２４ａの延在方向及び正極板２１の縁２１ｃの延在方向に沿って連続的に延在する溝２４ａｅを形成する。溝２４ａｅは、窪み付き端部２４ａｄにおける第一折り返し部２４ａａから第二折り返し部２４ａｂを経て第三折り返し部２４ａａａまでの部位によって形成される。窪み付き端部２４ａｄにおける第三折り返し部２４ａａａから縁端２４ａｃまでの部位は、先端部位２４ａ１を形成する。
【００９０】
第二セパレータ２４の縁部分２４ａの先端部位２４ａ１は、第一セパレータ２３の窪み付き端部２３ａｄの先端部位２３ａ１に沿って、延在する。さらに、縁部分２４ａの先端部位２４ａ１は、窪み付き端部２３ａｄの先端部位２３ａ１に接触し且つ重なる。これにより、正極板２１の縁２１ｃは、先端部位２４ａ１と先端部位２３ａ１とを互いに重ねて位置させる縁部分２４ａと縁部分２３ａとによって、囲まれるように覆われる。
【００９１】
なお、本変形例５では、縁部分２４ａの先端部位２４ａ１は、窪み付き端部２３ａｄの先端部位２３ａ１に対して、正極板２１の縁２１ｃ側に位置している。しかしながら、図１１に示すように、縁部分２４ａの先端部位２４ａ１が、窪み付き端部２３ａｄの先端部位２３ａ１に対して、正極板２１の縁２１ｃと反対側に位置してもよい。なお、図１１は、図１０の蓄電素子の変形例５の構成の別の態様を図１０と同様に示す断面図である。さらに、先端部位２４ａ１の全体が先端部位２３ａ１の一部又は全体と重なっていてもよく、先端部位２４ａ１の一部が先端部位２３ａ１の一部又は全体と重なっていてもよい。また、縁部分２４ａの先端部位２４ａ１と窪み付き端部２３ａｄの先端部位２３ａ１とは接触せず、これらの間に間隙があってもよい。
【００９２】
また、変形例５に係る蓄電素子におけるその他の構成は、変形例４に係る蓄電素子と同様であるため、その説明を省略する。さらに、変形例５に係る蓄電素子によると、変形例４に係る蓄電素子と同様の効果が得られる。さらにまた、上述したように、変形例５に係る蓄電素子の電極体では、第一セパレータ２３の縁部分２３ａと第二セパレータ２４の縁部分２４ａとがそれぞれ、窪み付き端部２３ａｄ及び２４ａｄを有する。これにより、第一セパレータ２３及び第二セパレータ２４における折り返された部位同士の間隔が狭くなるため、溝２３ａｅ及び２４ａｅ内に捕捉された異物が、そのまま保持されやすくなる。
【００９３】
［変形例６］
また、実施の形態に係る蓄電素子１００の変形例６として、以下のような構成が挙げられる。具体的には、図１２に示されるように、変形例６に係る蓄電素子の電極体の端部２０ａでは、第一セパレータ２３の縁部分２３ａは、窪み付き端部に複数の凹部が形成された構成を有している。なお、図１２は、実施の形態に係る蓄電素子１００の変形例６の構成を図４と同様に示す断面図である。
【００９４】
図１２を参照すると、電極体の端部２０ａにおいて、第一セパレータ２３の縁部分２３ａは、縁部分２３ａの途中の屈曲部２３ａｆにおいて、正極板２１を挟んで上記第一セパレータ２３と隣り合う第二セパレータ２４に向かって、折り曲げられている。屈曲部２３ａｆは、縁部分２３ａ及び正極板２１の縁２１ｃの延在方向に沿って延在する。縁部分２３ａは、屈曲部２３ａｆと縁端２３ａｃとの間の窪み付き端部２３ａｄを含む。本変形例６では、窪み付き端部２３ａｄの縁端２３ａｃは、上記第二セパレータ２４に接触する。しかしながら、縁端２３ａｃと上記第二セパレータ２４との間に間隙があってもよい。
【００９５】
窪み付き端部２３ａｄでは、縁部分２３ａに隣り合う正極板２１の縁２１ｃに向かって、つまり正極板２１の縁２１ｃからの縁部分２３ａの突出方向と反対方向に向かって窪む複数の凹部２３ａｇが形成されている。複数の凹部２３ａｇは、縁部分２３ａの延在方向に沿って、互いに間隔をあけて配置されている。各凹部２３ａｇの形状及び寸法は、互いに同一であっても異なっていてもよい。凹部２３ａｇの形状は、いかなる形状でもよい。本変形例６では、複数の凹部２３ａｇは、縁部分２３ａの延在方向に沿って一列に配置されているが、複数列に配置されてもよく、列を形成せずに分散して配置されてもよい。
【００９６】
窪み付き端部２３ａｄの凹部２３ａｇは、第一セパレータ２３の製造時に形成されてもよく、製造後の第一セパレータ２３を加工することにより形成されてもよい。窪み付き端部２３ａｄの凹部２３ａｇは、セパレータ同士の熱溶着を伴うことなく形成されることができる。
【００９７】
上述のような構成を有する縁部分２３ａの窪み付き端部２３ａｄは、正極板２１の縁２１ｃを覆うように延在する。そして、窪み付き端部２３ａｄの凹部２３ａｇは、その外側からの異物を捕捉し、捕捉した異物をその内部に保持することができる。よって、窪み付き端部２３ａｄに対向して位置する正極板２１の縁２１ｃに異物が付着するのが、抑制される。また、変形例６に係る蓄電素子におけるその他の構成は、実施の形態に係る蓄電素子１００と同様であるため、その説明を省略する。さらに、変形例６に係る蓄電素子によると、実施の形態に係る蓄電素子１００と同様の効果が得られる。
【００９８】
［その他の変形例］
以上、本発明の実施の形態及び変形例に係る蓄電素子について説明したが、本発明は、実施の形態及び変形例に限定されるものではない。つまり、今回開示された実施の形態及び変形例は全ての点で例示であって制限的なものではないと考えられるべきである。本発明の範囲は上述した説明ではなくて特許請求の範囲によって示され、特許請求の範囲と均等の意味及び範囲内での全ての変更が含まれることが意図される。
【００９９】
実施の形態及び変形例に係る蓄電素子の電極体では、第一セパレータ２３の縁部分２３ａの窪み付き端部２３ａｄが、２つ又は４つの折り返し部によって形成されていたが、これに限定されるものでない。縁部分２３ａの窪み付き端部は、偶数箇所の折り返し部によって形成されてよく、６つ以上の折り返し部によって形成されてもよい。また、第二セパレータ２４の縁部分２４ａにも、２つの折り返し部が形成されていたが、これに限定されるものでない。縁部分２４ａの窪み付き端部は、偶数箇所の折り返し部によって形成されてよく、４つ以上の折り返し部によって形成されてもよい。
【０１００】
或いは、変形例４及び５に係る蓄電素子の電極体では、先端部位で第一セパレータ２３の縁部分２３ａと重なる第二セパレータ２４の縁部分２４ａには、１つ又は３つの折り返し部が形成されていたが、これに限定されるものでない。縁部分２４ａには、奇数箇所の折り返し部が形成されてよく、５つ以上の折り返し部が形成されてもよい。
【０１０１】
さらに、変形例４及び５に係る蓄電素子の電極体では、第二セパレータ２４の縁部分２４ａの先端部位２４ａ１が、第一セパレータ２３の窪み付き端部２３ａｄの先端部位２３ａ１と重なるように構成されていたが、これに限定されるものでない。例えば、第一セパレータ２３の窪み付き端部２３ａｄが４つ以上の折り返し部を含み、第二セパレータ２４の縁部分２４ａが３つ以上の折り返し部を含む場合、第二セパレータ２４の縁部分２４ａは、先端部位２４ａ１を含む複数の折り返された部位で、窪み付き端部２３ａｄと重なってもよい。
【０１０２】
変形例２に係る蓄電素子の電極体では、第一セパレータ２３の縁部分２３ｂの窪み付き端部２３ｂｄと、第二セパレータ２４の縁部分２４ｂの窪み付き端部２４ｂｄとがそれぞれ、２つの折り返し部によって形成されていたが、これに限定されるものでない。縁部分２３ｂ及び２４ｂｄの窪み付き端部は、偶数箇所の折り返し部によって形成されてよく、４つ以上の折り返し部によって形成されてもよい。
【０１０３】
実施の形態及び変形例に係る蓄電素子の電極体において、第一セパレータ２３の縁部分２３ａの構成と、第二セパレータ２４の縁部分２４ａの構成とを、入れ替えてもよい。
【０１０４】
実施の形態及び変形例に係る蓄電素子の電極体では、第一セパレータ２３及び第二セパレータ２４の窪み付き端部は、端部２０ａにおいて正極板２１の縁２１ｃを覆い、端部２０ｂにおいて正極板２１の正極活物質層２１ｂの縁２１ｂｂを覆うように構成されていたが、これに限定されるものでない。第一セパレータ２３及び第二セパレータ２４の窪み付き端部は、端部２０ａにおける負極板２２の負極活物質層２２ｂの縁２２ｂａ、又は端部２０ｂにおける負極板２２の縁２２ｄを覆うように構成されてもよい。
【０１０５】
実施の形態及び変形例に係る蓄電素子の電極体では、第一セパレータ２３及び第二セパレータ２４の窪み付き端部は、セパレータを折り返すことによって形成されていたが、これに限定されるものでない。窪み付き端部は、セパレータを湾曲させて形成されてもよく、セパレータの湾曲と折り返しとを組み合わせて形成されてもよい。窪み付き端部の溝は、セパレータをＶ字状に折り曲げるのではなく、Ｕ字状に折り曲げる若しくは多角形の一部をなすように折り曲げて形成されてもよい。また、窪み付き端部の溝とセパレータの第一折り返し部とが隣接していなくてもよい。例えば、窪み付き端部の溝とセパレータの第一折り返し部との間に、正極板２１又は負極板２２の縁に略平行に延在する部分があってもよい。
【０１０６】
実施の形態及び変形例に係る蓄電素子では、積層された電極体は、重ねられた正極板、負極板及びセパレータを巻回して形成される巻回型の電極体であったが、これに限定されるものでない。積層された電極体は、多数の正極板、負極板及びセパレータを重ねて形成されるスタック型の電極体であってもよく、重ねた一組の、又は、二組以上の、正極板、負極板及びセパレータを複数回折り曲げて形成されるＺ型の電極体であってもよい。
【０１０７】
実施の形態及び変形例に係る蓄電素子は、１つの電極体を備えていた。しかしながら、蓄電素子は、２つ以上の電極体を備えるものであってもよい。
【０１０８】
実施の形態及び変形例に係る蓄電素子では、電極体は、帯状の正極未塗工部２１ｅ及び負極未塗工部２２ｅがそれぞれ正極集電体５０及び負極集電体６０に接続される構成であったが、これに限定されるものでない。電極体は、正極未塗工部及び負極未塗工部の位置に、正極基材及び負極基材から一体的に突出し且つ正極活物質層及び負極活物質層が形成されていないタブを有する構成であってもよい。そして、正極集電体５０及び負極集電体６０が、タブに接続されてよい。
【０１０９】
実施の形態及び変形例に係る蓄電素子は、縦巻き型の電極体を備える蓄電素子であったが、電極体の巻回軸Ａ方向の端部を容器１０の蓋体１２に対向させる向きで電極体が配置される横巻き型の電極体を備える蓄電素子であってもよい。
【０１１０】
また、実施の形態及び変形例を任意に組み合わせて構築される形態も、本発明の範囲内に含まれる。また、本発明は、上述のような蓄電素子として実現することができるだけでなく、１つ以上の蓄電素子を備える蓄電装置においても実現することができる。例えば、本発明は、図１３に示すように、複数の蓄電素子１００を備える蓄電装置２００として実現することができる。なお、図１３は、複数の蓄電素子１００を備える蓄電装置２００の平面図である。蓄電装置２００は、並べて配置された複数の蓄電ユニット２０１（なお、図１３では、４つの蓄電ユニット２０１）を備えている。各蓄電ユニット２０１は、例えば一列に並べられ且つ互いに電気的に接続された複数の蓄電素子１００（なお、図１３では、４つの蓄電素子１００）によって、構成される。上述の構成によって、複数の蓄電素子１００が、１ユニットとして使用され、蓄電装置２００に必要な電気容量、蓄電装置２００の形状及び寸法等に対応して、蓄電ユニット２０１の数量及び配列が選択され得る。複数の蓄電素子１００を備え且つ高出力である蓄電装置２００は、電気自動車（ＥＶ）、ハイブリッド自動車（ＨＥＶ）、プラグインハイブリッド自動車（ＰＨＥＶ）等の自動車用電源として搭載することもできる。
【産業上の利用可能性】
【０１１１】
本発明は、リチウムイオン二次電池などの蓄電素子、蓄電ユニット、蓄電装置等に適用できる。
【符号の説明】
【０１１２】
２０  電極体
２１  正極板
２１ｃ  縁（極板の端部）
２２  負極板
２２ｅ  負極未塗工部（負極突出部）
２３  第一セパレータ
２４  第二セパレータ
２３ａ，２４ａ  縁部分（突出部）
２３ｂ，２４ｂ  第二縁部分（突出部）
２３ａａ，２３ｂａ，２４ａａ，２４ｂａ  第一折り返し部
２３ａｂ，２３ｂｂ，２４ａｂ，２４ｂｂ  第二折り返し部
２３ａａａ，２４ａａａ  第三折り返し部
２３ａｂａ  第四折り返し部
２３ａｃ，２３ｂｃ，２４ａｃ，２４ｂｃ  縁端（窪み付き端部の先端部）
２３ａｄ，２３ｂｄ，２４ａｄ，２４ｂｄ  窪み付き端部
２３ａｅ，２３ｂｅ，２４ａｅ，２４ｂｅ  溝（窪み部）
２３ａｅａ  第二溝（窪み部）
２３ａｇ  凹部（窪み部）
４０  負極端子（電極端子）
１００  蓄電素子
【図１】
2017126471.tif 000003
【図２】
2017126471.tif 000004
【図３】
2017126471.tif 000005
【図４】
2017126471.tif 000006
【図５】
2017126471.tif 000007
【図６】
2017126471.tif 000008
【図７】
2017126471.tif 000009
【図８】
2017126471.tif 000010
【図９】
2017126471.tif 000011
【図１０】
2017126471.tif 000012
【図１１】
2017126471.tif 000013
【図１２】
2017126471.tif 000014
【図１３】
2017126471.tif 000015